(57)【要約】【課題】  ボリューム感が得られて、スタイルセットの変更も容易で自然な外観を呈するかつらベース及びかつらを提供すること提供する。【解決手段】  八角形状の第1の網目１と、第1の網目１の辺上に連接して形成される略矩形状の第２の網目２とから構成されるネット領域２０を備え、第２の網目２が第1の網目１の辺上に所定の間隔で配置されるかつらベース及びかつらを提供する。【選択図】図１
2019052393.tif 000002
【特許請求の範囲】
【請求項１】
八角形状の第1の網目と、前記第1の網目の辺上に連接して形成される略矩形状の第２の網目とから構成されるネット領域を備え、
前記第２の網目が前記第1の網目の辺上に所定の間隔で配置されることを特徴とするかつらベース。
【請求項２】
前記第２の網目が、前記第1の網目の対向する辺上に連接して形成されることを特徴とする請求項１に記載のかつらベース。
【請求項３】
ネット領域が、中心となる前記第1の網目の辺上に、前記第1の網目及び前記第２の網目が交互に連接して形成された網目ユニットにより構成されていることを特徴とする請求項２に記載のかつらベース。
【請求項４】
前記第２の網目が正方形であることを特徴とする請求項１から３の何れか1項に記載のかつらベース。
【請求項５】
前記第１の網目の面積が、前記第２の網目の面積の２倍以上４倍以下であることを特徴とする請求項１から４の何れか1項に記載のかつらベース。
【請求項６】
請求項１から５の何れか1項に記載のカツラベースに、擬毛が縮設されたかつら。
【発明の詳細な説明】
【技術分野】
【０００１】
本発明は、ネット領域を備えたかつらベース及びこのかつらベースに擬毛が植設されたかつらに関する。
【背景技術】
【０００２】
擬毛が植設されてかつらとなるかつらベースの中には、軽量であり、通気性に優れている点から、網目を有するネット領域を備えたものが広く用いられている。その中には、大きさの異なる略円形の網目を組み合わせたネット領域を備えたかつらベースが提案されている(例えば、特許文献１参照）。
【先行技術文献】
【特許文献】
【０００３】
【特許文献１】特開２０１５-１１７４４０号
【発明の概要】
【発明が解決しようとする課題】
【０００４】
特許文献１に記載のかつらベースでは、円形の網目形状を採用することにより、植設した擬毛を所望の方向に向けることができるので、装着者の様々な要望に対応することができる。更に、曲率の異なる円形を有する網目を採用することにより、植設された擬毛を重ならせて、自然な外観を得ることができる。
【０００５】
しかし、網目が円形なので、植設された擬毛が円周に沿って全方向に向かい易く、スタイルセットが困難になる虞がある。更に、それぞれ独立した円形の網目を連結する領域が必要であり、隣接した網目どうしが離間して配置されている。このため、各網目に植設された擬毛に一体感が欠け、自然なボリューム感のある外観を得ることが難しくなる。
【０００６】
本発明は、上記問題に鑑みてなされたものであり、ボリューム感が得られて、スタイルセットの変更も容易で自然な外観を呈するかつらベース及びかつらを提供することを目的とする。
【０００７】
上記課題を解決するために、本発明の一態様に係るかつらベース及びかつらでは、
八角形状の第1の網目と、前記第1の網目の辺上に連接して形成される略矩形状の第２の網目とから構成されるネット領域を備え、
前記第２の網目が前記第1の網目の辺上に所定の間隔で配置されている。
【発明の効果】
【０００８】
第１の網目の形状を八角形にすることにより、網目の辺に植設された擬毛を、前後左右の四方及びその間の斜めの方向に向けることができる。一方、網目が六角形以下の場合には、網目形状に起因して、植設された擬毛が特定の方向にだけしか向けることができない。また、網目が円形の場合には、植設された擬毛が円周に沿って全方向に向き、所望の特定の方向に向けることが困難となる。
【０００９】
第１の網目の形状を八角形にすることにより、植設された擬毛の向きが適度に抑制されて、あらゆるヘアスタイルに対応でき、かつヘアスタイルの変更も容易で自然な外観が得られる。また、第２の網目が第１の網目の形状と異なるため、植設された擬毛が向く方向が異なり、第１の網目に植設された擬毛と干渉しないので、第１の網目に植設された擬毛を効果的に支持してボリューム感が出やすく、スタイルも作りやすい。
【００１０】
以上のように、本発明では、ボリューム感が得られて、スタイルセットの変更も容易で自然な外観を呈するかつらベース及びかつらを提供することができる。なお、本発明の効果に関する更に詳細な説明は、図面を参照しながら後述する。
【図面の簡単な説明】
【００１１】
【図１】本発明の１つの実施形態に係るかつらベースのネット領域を拡大して示した模式図である。
【図２】図１に示すネット領域の１つの網目ユニットを示した模式図である。
【図３】本発明の１つの実施形態に係るかつらベースにおける擬毛の植設位置を示した模式図である。
【図４】本発明の１つの実施形態に係るかつらベースの第２の網目における擬毛の植設位置を示した模式図である。
【図５】本発明の１つの実施形態に係るかつらベース及びかつらを示した模式図である。
【発明を実施するための形態】
【００１２】
はじめに、図１及び図２を参照しながら、本発明の１つの実施形態に係るかつらベースのネット領域について説明を行う。図1は、本発明の１つの実施形態に係るかつらベースのネット領域を拡大して示した模式図である。図２は、図１に示すネット領域の１つの網目ユニットを示した模式図である。
【００１３】
本実施形態に係るかつらベースのネット領域２０は、八角形形状の第1の網目１と、その八角形網目を構成する辺に連接した略矩形の第２の網目２とで構成されている。つまり、第1の網目１の八角形の1辺と、第２の網目２の略矩形の一辺とが共有されている。これにより、形状の異なる第1の網目１及び第２の網目２は、互いに間隔を隔てることなく連接している。
また、図２に示すように、１つの網目ユニット８において、略矩形の第２の網目２は、第1の網目１の辺上に所定の間隔で配置されている。八角形の第1の網目１は、主に所望の量の擬毛を植設する機能を有し、略矩形の第２の網目２は、植設された擬毛を効果的に立ち上がらせる機能を有する。
【００１４】
このように八角形の網目及び略矩形の網目を、間隔を隔てることなく連接して組み合わせ、第２の網目２が第1の網目１の辺上に所定の間隔で配置されている構成により、下記のような作用効果を得ることができる。
（１）所望の量の擬毛を植設するための第1の網目１を八角形状にすることにより、植設した擬毛が適度な抑制を持って全方向を向くので、あらゆるヘアスタイルに適用できる。
（２）第２の網目が第１の網目の形状と異なるので、植設された擬毛が向く方向が異なり、第１の網目に植設された擬毛と干渉せず、第１の網目に植設された擬毛を効果的に支持できる。
（３）第２の網目２を略矩形形状にすることにより、略矩形を構成する辺に植設された擬毛が、略矩形の中心部付近に集束しやすく、毛髪どうしが支え合って擬毛を立ち上がせることができる。
（４）更に、第２の網目２により立ち上がった擬毛の上に、第１の網目１の八角形の網目を構成する辺に植設された擬毛が載る状態になるので、自然なボリューム感を得ることができる。
（５）略矩形の第２の網目２は、第1の網目１の辺上に所定の間隔で配置されているので、植設された擬毛の向きが揃って不自然な外観を呈する虞もなく、自然に擬毛が立ち上がった自然なボリューム感を形成できる。
（６）形状の異なる八角形状の第1の網目１及び略矩形の第２の網目２が、辺を共有する形で隙間をあけずに配置されるので、確実に自然なボリューム感のある外観を得ることができる。
【００１５】
以上のように、本実施形態では、ボリューム感が得られて、スタイルセットの変更も容易で自然な外観を呈するかつらベース及びかつらを提供することができる。
【００１６】
第２の網目２が第1の網目１の辺上に所定の間隔で配置されている具体的な態様として、第２の網目２が、第1の網目１の対向する辺上に連接して形成されることが好ましい。更に、ネット領域２０が、中心となる第1の網目１の辺上に、第1の網目１及び第２の網目２が交互に連接して形成された網目ユニット８により構成されていることが好ましい。
【００１７】
つまり、第２の網目２の略矩形は、八角形の一辺と、その一辺から一辺の間隔を空けた辺ごとに不連続に配置されていることが好ましい。図１に示すように、本実施形態では、第1の網目１の八角形状の各辺は、交互に、第1の網目１の八角形状の一辺及び第２の網目２の略矩形の一辺と辺を共有するようになっている。これにより、中心に位置する八角形状の第1の網目１の上下左右の四方に、略矩形の第２の網目２が、中心に位置する第1の網目１分だけ互いに離間して略平行に配置されている。
もし、第1の網目１が六角形状の場合には、上下方向または左右方向の一方に第２の網目２を配置することはできるが、上下左右の四方に配置することはできない。
【００１８】
更に、四方に配置された略矩形の第２の網目２の間に、斜め右上、斜め左上、斜め左下、斜め右下の四方に、八角形の第１の網目１が、中心に位置する第1の網目１分だけ互いに離間して、略平行に配置されている。
【００１９】
以上のように、第２の網目２が、第1の網目１の対向する辺上に連接して形成されることにより、一定の間隔を開けながら、擬毛の向きがある程度揃った配置が可能なので自然なボリューム感を形成できる。更に、ネット領域２０が、中心となる第1の網目１の辺上に、第1の網目１及び第２の網目２が交互に連接して形成された網目ユニット８により構成されることにより、所定のボリューム感が得られ、スタイルセットの変更も容易で自然な外観を得ることができる。
【００２０】
また、第２の網目２の略矩形は、正方形の形状が好ましい。略矩形の形状が正方形の場合、正方形を構成する辺に植設した毛髪が正方形中心付近に集束し易く、植設された擬毛を効果的に立ち上がらせることができる。一方、略矩形の形状が正方形以外の場合には、正方形の場合に比べ、略矩形の中心付近に植設された擬毛が集束しない、または収束状態が弱いため、複数の集束箇所が生じる傾向を有する。このため、正方形の場合に比べ、やや植設された擬毛が十分に立ち上がりにくい傾向を有する。
以上のように、第２の網目２が正方形の形状を有する場合、植設された擬毛を効果的に立ち上がらせることができる。ただし、用途やヘアスタイルによっては、略矩形の形状が正方形以外であっても、分な擬毛の立ち上がりを得ることができる。
【００２１】
仮に、第１の網目１の八角形を構成する辺全てに略矩形が連接していると、ネット領域全体で所望の量の擬毛を植設する八角形の網目の数が少なくなる。これにより、植設可能な毛髪量の範囲が狭くなり、幅広いヘアスタイルの要求に応えられない虞がある。更に、八角形の網目を略矩形が取り囲むことで、必要以上に植設した毛髪が立ち上がり、不自然なボリューム感を呈してしまう虞もある。
【００２２】
以上を考慮すると、八角形の第1の網目１は、略矩形の第２の網目２に対して２倍以上の面積を有していることが好ましく、３倍以上の面積を有していることが更に好ましい。
【００２３】
一方、略矩形の第２の網目２の数が少な過ぎると、本発明の目的であるボリューム感が十分に得られない。以上を考慮すると、八角形の第１の網目１の面積が、それに連接する略矩形の第２の網目２の面積の４倍以下であることが好ましく、３．５倍以下であることが更に好ましい。
【００２４】
仮に、八角形の第１の網目１の面積が第２の網目２の面積の４倍以上であると、略矩形の面積が小さくなるので、それに伴い、略矩形の一辺の長さも短くなる。よって、植設された擬毛どうしの距離が短すぎて束になる虞がある。よって、逆に擬毛どうしを支え合うことができず、立ち上がらなくなってボリューム感が得られない虞がある。特に、第２の網目２に植設した擬毛が束になり、毛髪が線状に見えて、かつら全体が不自然な外観を呈する虞もある。
【００２５】
なお、第１の網目１の各辺の長さが同一な正八角形であり、第２の網目２の各辺の長さが同一な正方形の場合、第１の網目１の面積は第２の網目２の面積の約４．８倍となる。よって、網目ユニット８において、中心の第１の網目１の各辺のうち、第１の網目１が連接する辺の方が、第２の網目２が連接する辺よりも長くなるように形成するのが好ましい。
【００２６】
以上のように、第１の網目１の面積を、第２の網目２の面積の２倍以上４倍以下にすることにより、ボリューム感と自然な外観とのバランスが取れたかつらベース及びかつらを実現できる。
【００２７】
ネット領域の網目を構成する糸は、モノフィラメントでも、複数のフィラメントを束ねたモノフィラメントでもよく、任意のものを採用できる。網目の糸の直径についても、任意のものを採用できるが、あまり太いと網目の数が減るので、所望の毛髪量を得られず、ヘアスタイルが制限される虞がある。更に、かつら装着時にネット領域２０が露見し易く、これによりかつらの装着が視認され易くなる。以上を考慮すると、ネット領域２０の網目の糸の直径として、０．３ｍｍ以上２．５ｍｍ以下が好ましい。
【００２８】
図５に、本発明の１つの実施形態に係るかつらベース及びかつらを示した模式図を示す。図５に示す第１の網目１及び第２の網目２を有するネット領域２０を備えたかつらベース３０では、外縁部３２を除く全領域がネット領域２０で構成されている。ただし、これに限られるものではなく、ネット状でない基布や人工皮膚の領域と、ネット領域２０とが組み合わされて構成されたかつらベースを採用することもできる。
このようなかつらベース３０に擬毛４２を適宜植設することにより、ボリューム感を有する自然な外観のかつら４０を形成することができる。
【実施例】
【００２９】
次に、図１、図２及び図５を参照しながら、本発明のネット領域を備えたかつらベース及びかつらの実施例の説明を行う。本実施例では、ネット領域を備えたかつらベース及びかつらを、以下のようにして作成した。
まず、長さ２．２ｍｍの辺及び長さ１．２ｍｍの辺が交互に配置された八角形の第１の網目１と、一辺の長さが１．２ｍｍの正方形の第２の網目２を有するネット部材を準備した。ここで、第１の網目１の面積と第２の網目２の面積の比は、３．６７：１となっている。
【００３０】
図２に示すように、八角形の第1の網目１と、八角形の一辺と、その一辺から一辺の間隔を空けた辺ごとに、八角形の第1の網目を構成する辺に連接した正方形の第2の網目２を繰返して網目ユニット８とした。
【００３１】
はじめに、毛髪４２を植設するかつらベース３０を形成する。本実施例では、全領域がネット領域２０で構成される場合を例にして説明する。
まずネット部材を、かつら装着者の頭部形状の雄型石膏に張って、かつらベースとなる部分以外の箇所をホチキス針などで固定する。次に、ネット部材を固定した雄型石膏を熱風乾燥機に入れて、ネット部材を頭部形状に成形する。このとき、ウレタンを有機溶剤で溶解した溶液をネット部材に塗布して、頭部形状の保持性を強化してもよい。
【００３２】
次に、頭部形状に成形したネット部材を雄型石膏から取外して、かつらベース３０が完成する。
形成されたかつらベース３０に、人毛又は人工毛の擬毛４２を植設する。具体的には、頭部形状の合成樹脂又は木製の雄型に、頭部形状を成形したかつらベースを張って固定する。そして、ネット領域２０の網目を構成しているマルチフィラメントの所定の位置に、先端が鉤状の針を用いて、擬毛を結び付ける。この毛髪を結び付ける方法は、公知の任意の方法を採用できる。
【００３３】
次に、図３及び図４を参照しながら、形成されたかつらベースに擬毛を植設する方法の一例を説明する。図３は、本発明の１つの実施形態に係るかつらベースにおける擬毛の植設位置を示した模式図である。図４は、本発明の１つの実施形態に係るかつらベースの第２の網目における擬毛の植設位置を示した模式図である。図中、参照番号９が擬毛の植設位置を示し、参照番号１０が擬毛の先端位置を示す。
【００３４】
図３の矢印に示すように、植設する擬毛の先端を、頭部中心部３から前頭部４、後頭部５、左側頭部6及び右側頭部7の方向に向くように配置することができる。更に、頭部中心部３から、上記の間の方向である右前斜め方向、左前斜め方向、左後ろ斜め方向及び右後ろ斜め方向に向けることもできる。頭部における位置に応じて、植設された擬毛を最適な方向に向けることができる。更に、装着者の頭部中心部３から外側だけでなく、外側から頭部中心部３側へ向けることもできる。これにより、ボリューム感を出すことができ、ヘアスタイルチェンジも容易に行うことができる。
【００３５】
また、図４の矢印に示すように、正方形の第1の網目１においても、植設された擬毛を、前頭部4、後頭部5、左側頭部6及び右側頭部7側の任意の方向に向けることができ、内側から外側、外側から内側の任意の方向に向けることができる。図４に示すような様々なパターンにより、ヘアスタイル、ボリューム感の要望に応じて任意に形成することができる。
【００３６】
本発明に係るネット領域を備えたかつらベース及びかつらでは、上記の実施例に限られるものではなく、毛髪を植設する位置、本数、毛髪先端部の方向を変えることで、所望のヘアスタイル、毛髪量、ボリューム感を容易に作り出すことができる。
【００３７】
本発明の実施の形態、実施の態様を説明したが、開示内容は構成の細部において変化してもよく、実施の形態、実施の態様における要素の組合せや順序の変化等は請求された本発明の範囲および思想を逸脱することなく実現し得るものである。
【符号の説明】
【００３８】
１    第1の網目
２    第２の網目
３    頭部中心部
４    前頭部
５    後頭部
６    左側頭部
７    右側頭部
８    網目ユニット
９    擬毛の植設位置
１０  擬毛の先端位置
２０  ネット領域
３０  かつらベース
３２  外縁部
４０  かつら
４２  擬毛
【図１】
2019052393.tif 000003
【図２】
2019052393.tif 000004
【図３】
2019052393.tif 000005
【図４】
2019052393.tif 000006
【図５】
2019052393.tif 000007
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
八角形状の第1の網目と、前記第1の網目の辺上に連接して形成される略矩形状の第２の網目とから構成されるネット領域を備え、
前記第２の網目が前記第1の網目の辺上に所定の間隔で配置され、
前記第１の網目の面積が、前記第２の網目の面積の２倍以上４倍以下であり、
外縁部を除く全領域が前記ネット領域で構成されていることを特徴とするかつらベース。
【請求項２】
前記第２の網目が、前記第1の網目の対向する辺上に連接して形成されることを特徴とする請求項１に記載のかつらベース。
【請求項３】
ネット領域が、中心となる前記第1の網目の辺上に、前記第1の網目及び前記第２の網目が交互に連接して形成された網目ユニットにより構成されていることを特徴とする請求項２に記載のかつらベース。
【請求項４】
前記第２の網目が正方形であることを特徴とする請求項１から３の何れか1項に記載のかつらベース。
【請求項５】
請求項１から４の何れか1項に記載のカツラベースに、擬毛が縮設されたかつら。